(57)【要約】【課題】表示装置が表示する範囲を超える内容を有するコンテンツデータを表示した後で、コンテンツデータの表示状態を容易に再現できるようにする。【解決手段】スクリーンＳＣに画像を表示する投射部２０と、コンテンツデータに基づき、投射部２０によりスクリーンＳＣに画像を表示する制御部３０と、表示オブジェクトを生成するオブジェクト処理部３４と、記憶部６０と、を備え、制御部３０は、オブジェクト処理部３４により生成した表示オブジェクトを、コンテンツデータに基づきスクリーンＳＣに表示する画像に合成して表示し、投射部２０によりコンテンツデータに基づき表示した画像のデータである第１表示データを記憶部６０に記憶し、第１表示データの画像に表示オブジェクトを合成した画像のデータである第２表示データを、第１表示データと対応付けて記憶部６０に記憶するプロジェクター。【選択図】図３
2018036540.tif 000002
【特許請求の範囲】
【請求項１】
表示面に画像を表示する表示部と、
コンテンツデータに基づき、前記表示部により前記表示面に画像を表示する制御部と、
表示オブジェクトを生成するオブジェクト処理部と、
記憶部と、を備え、
前記制御部は、
前記オブジェクト処理部により生成した前記表示オブジェクトを、前記コンテンツデータに基づき前記表示面に表示する画像に合成して表示し、
前記表示部により前記コンテンツデータに基づき表示した画像のデータである第１表示データを前記記憶部に記憶し、
前記第１表示データの画像に前記表示オブジェクトを合成した画像のデータである第２表示データを、前記第１表示データと対応付けて前記記憶部に記憶する、
ことを特徴とする表示装置。
【請求項２】
前記制御部は、前記表示部により前記表示面に表示した一面分の画像に対応する前記第１表示データ、及び、前記第２表示データを生成する、ことを特徴とする請求項１記載の表示装置。
【請求項３】
前記制御部は、前記コンテンツデータに基づき画像を表示する際に、前記第１表示データを生成して前記記憶部に記憶する、ことを特徴とする請求項１または２記載の表示装置。
【請求項４】
前記制御部は、前記オブジェクト処理部により生成した前記表示オブジェクトを前記コンテンツデータに合成して表示する際に、前記第１表示データ、及び、前記第２表示データを生成して前記記憶部に記憶する、ことを特徴とする請求項１または２記載の表示装置。
【請求項５】
前記制御部は、前記オブジェクト処理部により生成した前記表示オブジェクトを非表示にする指示が入力された場合、前記記憶部に記憶した前記第１表示データに基づく画像を前記表示部により表示する、ことを特徴とする請求項１から４のいずれかに記載の表示装置。
【請求項６】
前記記憶部は、一の前記第１表示データに対応付けて複数の前記第２表示データを記憶可能である、ことを特徴とする請求項１から５のいずれかに記載の表示装置。
【請求項７】
前記制御部は、前記記憶部に記憶した前記第１表示データまたは前記第２表示データに基づく画像を前記表示部により表示した状態で、前記第１表示データまたは前記第２表示データに基づく画像を表示オブジェクトとして合成して表示させる、ことを特徴とする請求項１から６のいずれかに記載の表示装置。
【請求項８】
前記制御部は、前記コンテンツデータの一部を切り出して、切り出した前記コンテンツデータに基づき画像を前記表示部により表示する、ことを特徴とする請求項１から７のいずれかに記載の表示装置。
【請求項９】
操作を検出する検出部を備え、
前記オブジェクト処理部は、前記検出部により検出した操作に応じて表示オブジェクトを生成する、ことを特徴とする請求項１から８のいずれかに記載の表示装置。
【請求項１０】
位置指示操作を検出する位置検出部を備え、
前記検出部は、前記位置検出部により検出した位置指示操作の指示位置を取得し、
前記オブジェクト処理部は、前記検出部により取得した指示位置に基づき前記表示オブジェクトを生成する、ことを特徴とする請求項９記載の表示装置。
【請求項１１】
前記表示部は、前記表示面に画像光を投射することにより画像を表示する投射部を備え、
前記位置検出部は、前記投射部が画像光を投射する投射領域における位置指示操作を検出する、ことを特徴とする請求項１０記載の表示装置。
【請求項１２】
表示面に画像を表示する表示部を備える表示装置の制御方法であって、
コンテンツデータを取得し、
取得した前記コンテンツデータに基づき、前記表示部により前記表示面に画像を表示し、
前記表示部により前記コンテンツデータに基づき表示した画像のデータである第１表示データを記憶部に記憶し、
表示オブジェクトを生成し、
生成した前記表示オブジェクトを、前記コンテンツデータに基づき前記表示面に表示する画像に合成して表示し、
前記第１表示データの画像に前記表示オブジェクトを合成した画像のデータである第２表示データを、前記第１表示データと対応付けて前記記憶部に記憶すること、
を特徴とする表示装置の制御方法。
【発明の詳細な説明】
【技術分野】
【０００１】
本発明は、表示装置、及び、表示装置の制御方法に関する。
【背景技術】
【０００２】
従来、教材を表示する電子黒板等の表示装置に、教師の操作により、教科書の内容を表示し、問題に対する回答を生徒に入力させるシステムが知られている（例えば、特許文献１参照）。特許文献１のシステムでは、教師が指定する教科書の内容を電子黒板に表示し、教師の操作により電子黒板に問題を表示し、生徒端末に入力された生徒の回答を表示する。
【先行技術文献】
【特許文献】
【０００３】
【特許文献１】特開２０１２−２２６１８６号公報
【発明の概要】
【発明が解決しようとする課題】
【０００４】
特許文献１には、複数のページを有する教科書のうち指定されたページを表示する例が開示されているが、教科書の１ページのサイズが、表示装置が表示できる範囲よりも大きい場合は少なくない。例えば、表示装置が表示する表示領域が横長であり、教科書等が縦長の文書である場合、教科書の１ページの全体を一度に表示できない可能性がある。また、教科書以外のコンテンツデータを表示する場合も同様の問題が起こり得る。このような場合、コンテンツデータの一部が切り出されて表示されることになるが、いったん表示したコンテンツデータの表示状態を再現したい場合、コンテンツデータにおいて表示された範囲を特定する必要があった。
本発明は、上述した事情に鑑みてなされたものであり、表示装置が表示する範囲を超える内容を有するコンテンツデータを表示した後で、コンテンツデータの表示状態を容易に再現できるようにすることを目的とする。
【課題を解決するための手段】
【０００５】
上記目的を達成するために、本発明は、表示面に画像を表示する表示部と、コンテンツデータに基づき、前記表示部により前記表示面に画像を表示する制御部と、表示オブジェクトを生成するオブジェクト処理部と、記憶部と、を備え、前記制御部は、前記オブジェクト処理部により生成した前記表示オブジェクトを、前記コンテンツデータに基づき前記表示面に表示する画像に合成して表示し、前記表示部により前記コンテンツデータに基づき表示した画像のデータである第１表示データを前記記憶部に記憶し、前記第１表示データの画像に前記表示オブジェクトを合成した画像のデータである第２表示データを、前記第１表示データと対応付けて前記記憶部に記憶する、ことを特徴とする。
本発明によれば、表示装置が、コンテンツデータに基づき表示した画像を第１表示データとして記憶し、表示した画像に表示オブジェクトを合成して表示した画像を第２表示データとして記憶する。これにより、表示装置が、コンテンツデータを表示した状態を容易に再現できる。また、表示装置は、表示オブジェクトを合成して表示した状態、及び、表示オブジェクトを合成していない状態を、容易に再現できる。
【０００６】
また、本発明は、前記制御部は、前記表示部により前記表示面に表示した一面分の画像に対応する前記第１表示データ、及び、前記第２表示データを生成する、ことを特徴とする。
本発明によれば、表示装置が表示面に表示した一面分の画像のデータを利用して、コンテンツデータの表示状態を容易に再現できる。
【０００７】
また、本発明は、前記制御部は、前記コンテンツデータに基づき画像を前記表示部に表示する際に、前記第１表示データを生成して前記記憶部に記憶する、ことを特徴とする。
本発明によれば、表示装置が、表示オブジェクトの表示等を行う前の状態で第１表示データを記憶するので、コンテンツデータの表示状態を容易に再現できる。また、表示装置が表示するコンテンツデータに対し、第１表示データを漏れなく記憶できる。
【０００８】
また、本発明は、前記制御部は、前記オブジェクト処理部により生成した前記表示オブジェクトを前記コンテンツデータに合成して表示する際に、前記第１表示データ、及び、前記第２表示データを生成して前記記憶部に記憶する、ことを特徴とする。
本発明によれば、表示装置が、コンテンツデータに基づく画像に表示オブジェクトを合成して表示する際に、表示オブジェクトを合成していない状態の第１表示データ、及び、表示オブジェクトを合成した状態の第２表示データを生成する。このため、表示装置が表示するコンテンツデータに対し、第１表示データ及び第２表示データを漏れなく記憶でき、コンテンツデータの表示状態を容易に再現できる。
【０００９】
また、本発明は、前記制御部は、前記オブジェクト処理部により生成した前記表示オブジェクトを非表示にする指示が入力された場合、前記記憶部に記憶した前記第１表示データに基づく画像を前記表示部により表示する、ことを特徴とする。
本発明によれば、表示装置が、第１表示データを利用して、表示オブジェクトを非表示にする処理を効率よく実行できる。
【００１０】
また、本発明は、前記記憶部は、一の前記第１表示データに対応付けて複数の前記第２表示データを記憶可能である、ことを特徴とする。
本発明によれば、例えば、表示装置が、異なる複数の表示オブジェクトに対応する複数の第２表示データを記憶でき、一のコンテンツデータに対して、異なる複数の表示オブジェクトを切り換えて合成した表示状態を再現できる。
【００１１】
また、本発明は、前記制御部は、前記記憶部に記憶した前記第１表示データまたは前記第２表示データに基づく画像を前記表示部により表示した状態で、前記第１表示データまたは前記第２表示データに基づく画像を表示オブジェクトとして合成して表示させる、ことを特徴とする。
本発明によれば、表示装置が、第１画像データ及び第２画像データを表示オブジェクトとして他の画像に合成して表示できる。これにより、コンテンツデータの表示状態を様々な態様で再現できる。
【００１２】
また、本発明は、前記制御部は、前記コンテンツデータの一部を切り出して、切り出した前記コンテンツデータに基づき画像を前記表示部により表示する、ことを特徴とする。
本発明によれば、表示装置がコンテンツデータの一部を表示した表示状態を、容易に再現できる。このため、コンテンツデータの内容が、表示面に表示可能な範囲よりも長大である場合に、表示した範囲を特定する作業を経ることなく、コンテンツデータの表示状態を再現できる。
【００１３】
また、本発明は、操作を検出する検出部を備え、前記オブジェクト処理部は、前記検出部により検出された操作に応じて表示オブジェクトを生成する、ことを特徴とする。
本発明によれば、操作に応じて表示オブジェクトを生成して、コンテンツデータに基づく画像に合成して表示できる。
【００１４】
また、本発明は、位置指示操作を検出する位置検出部を備え、前記検出部は、前記位置検出部により検出した位置指示操作の指示位置を取得し、前記オブジェクト処理部は、前記検出部により取得した指示位置に基づき前記表示オブジェクトを生成する、ことを特徴とする。
本発明によれば、位置指示操作によって表示オブジェクトを生成し、コンテンツデータに基づく画像に合成して表示できる。
【００１５】
また、本発明は、前記表示部は、前記表示面に画像光を投射することにより画像を表示する投射部を備え、前記位置検出部は、前記投射部が画像光を投射する投射領域における位置指示操作を検出する、ことを特徴とする。
本発明によれば、表示面に画像光を投射するプロジェクターが、コンテンツデータに基づく画像を表示し、プロジェクターの投射領域における位置指示操作を検出して表示オブジェクトを生成し、表示できる。また、プロジェクターが表示したコンテンツデータの表示状態を容易に再現できる。
【００１６】
また、上記目的を達成するために、本発明は、表示面に画像を表示する表示部を備える表示装置の制御方法であって、コンテンツデータを取得し、取得した前記コンテンツデータに基づき、前記表示部により前記表示面に画像を表示し、前記表示部により前記コンテンツデータに基づき表示した画像のデータである第１表示データを記憶部に記憶し、操作を検出し、表示オブジェクトを生成し、生成した前記表示オブジェクトを、前記コンテンツデータに基づき前記表示面に表示する画像に合成して表示し、前記第１表示データの画像に前記表示オブジェクトを合成した画像のデータである第２表示データを、前記第１表示データと対応付けて前記記憶部に記憶すること、を特徴とする。
本発明の表示装置の制御方法を適用した表示装置は、コンテンツデータに基づき表示した画像を第１表示データとして記憶し、コンテンツデータに基づき表示した画像に表示オブジェクトを合成して表示した画像を第２表示データとして記憶する。これにより、表示装置が、コンテンツデータを表示した状態を容易に再現できる。また、表示装置は、表示オブジェクトを合成して表示した状態、及び、表示オブジェクトを合成していない状態を、容易に再現できる。
【図面の簡単な説明】
【００１７】
【図１】表示システムの構成及び設置状態を示す図。
【図２】プロジェクターに接続される機器のブロック図。
【図３】プロジェクター及び指示体のブロック図。
【図４】記憶部の構成及び記憶部が記憶するデータの模式図。
【図５】コンテンツデータの一部を表示する処理の説明図。
【図６】プロジェクターの動作を示すフローチャート。
【図７】第２表示データの例を示す図。
【図８】第２表示データの例を示す図。
【図９】第２表示データの例を示す図。
【図１０】第２表示データの例を示す図。
【図１１】第２表示データの例を示す図。
【図１２】プロジェクターの表示例を示す図。
【図１３】プロジェクターの表示例を示す図。
【図１４】プロジェクターの表示例を示す図。
【図１５】プロジェクターの表示例を示す図。
【図１６】プロジェクターの表示例を示す図。
【発明を実施するための形態】
【００１８】
図１は、表示システム１の構成及び設置状態を示す図である。
表示システム１は、表示装置の具体的態様として、プロジェクター１００を備える。表示システム１では、プロジェクター１００（表示装置）に、タブレット２及びタブレット３が無線通信回線によりデータ通信可能に接続する。表示システム１を構成するタブレット２、３の数について制限はない。本実施形態では、プロジェクター１００に、１台のタブレット２と、複数台のタブレット３とを接続する例を示す。
【００１９】
タブレット２及びタブレット３は、それぞれ、役割が異なるユーザーに割り当てられる。例えば教育の場で表示システム１を使用する場合、教育を行う側のユーザー（例えば、教員）がタブレット２を使用し、教育を受ける側のユーザー（例えば、生徒）がタブレット３を使用する。タブレット２を操作するユーザー、或いは、他のユーザーが、プロジェクター１００を操作する。本実施形態では、タブレット２を操作するユーザーが、指示体７０を使用して、プロジェクター１００を操作する。
【００２０】
図１にはプロジェクター１００の設置状態を示す。
プロジェクター１００は、スクリーンＳＣ（表示面）の上方又は斜め上方に設置され、スクリーンＳＣに向けて画像を投射する。スクリーンＳＣは、壁面に固定され、又は床面に立設された平板又は幕である。本発明は、この例に限定されず、壁面をスクリーンＳＣとして使用することも可能である。この場合、スクリーンＳＣとして使用される壁面の上部にプロジェクター１００を取り付けるとよい。
【００２１】
プロジェクター１００は、画像を出力する画像供給装置に接続してもよい。画像供給装置は、例えば、サーバー装置、ＰＣ（パーソナルコンピューター）、ＤＶＤ（Digital Versatile Disk）やブルーレイディスク等を再生するメディア再生装置である。この場合、プロジェクター１００は、画像供給装置が出力するアナログ画像信号又はデジタル画像データに基づいて、スクリーンＳＣに画像を投射する。また、プロジェクター１００は、記憶部６０（図３）や外部接続される記憶媒体に記憶された画像データを読み出して、この画像データに基づきスクリーンＳＣに画像を表示してもよい。
【００２２】
プロジェクター１００は、スクリーンＳＣの投射領域１０に画像を投射する。投射領域１０の大きさは、プロジェクター１００のズーム機能等により調整できる。本実施形態では、スクリーンＳＣと同じ大きさの投射領域１０に、画像を投射する例を示す。投射領域１０はスクリーンＳＣより小さくてもよい。
【００２３】
プロジェクター１００は、指示体７０による操作を検出する。指示体７０は、ユーザーが手に持って使用するペン型の入力デバイスである。ユーザーは、指示体７０の軸部７２を手に持ち、指示体７０の先端部７１をスクリーンＳＣに接触させる操作を行う。例えば、ユーザーは、先端部７１をスクリーンＳＣに一定時間接触させる操作を行うことができる。この場合、プロジェクター１００は、先端部７１がスクリーンＳＣに接触する位置を、指示位置として検出する。また、ユーザーは、先端部７１をスクリーンＳＣに接触させながら動かす操作を行うことができる。この場合、プロジェクター１００は、スクリーンＳＣ上で先端部７１が移動した軌跡を検出する。
【００２４】
プロジェクター１００は、指示体７０を用いる操作を検出して、検出した操作をスクリーンＳＣの表示画像に反映させる。例えば、プロジェクター１００は、先端部７１が指示する指示位置を検出し、指示位置の座標に基づき、プロジェクター１００の機能を実行するＧＵＩ（Graphical User Interface）操作を実現する。また、プロジェクター１００は、先端部７１の指示位置の軌跡に沿って文字や図形等の表示オブジェクトを生成し、表示する。表示オブジェクトを生成して表示する機能を、描画機能と呼ぶ。
【００２５】
タブレット２は、平板状の本体にタッチパネル２０１を有する。タブレット３は、平板状の本体にタッチパネル３０１を有する。タッチパネル２０１、３０１は、液晶表示パネルや有機ＥＬパネル等を有する表示画面と、接触操作を検出するタッチパネルとを重ねた構成を有する。タブレット２はタッチパネル２０１にユーザーの指や手が接触したことを検出する。タブレット３はタッチパネル３０１にユーザーの指や手が接触したことを検出する。
【００２６】
図２は、タブレット２、３の機能ブロック図である。
タブレット２は、インターフェイス（Ｉ／Ｆ）部２１１を備える。インターフェイス部２１１は、プロジェクター１００に接続される。
【００２７】
インターフェイス部２１１は、外部の機器に有線接続する有線接続用のコネクターと、このコネクターに対応するインターフェイス回路とを備える有線の通信インターフェイスであってもよい。具体的には、有線ＬＡＮ、ＩＥＥＥ１３９４、ＵＳＢ、ＭＨＬ（Mobile High-definition Link）（登録商標）、ＨＤＭＩ（登録商標）（High-Definition Multimedia Interface）等に対応するインターフェイスであってもよい。
インターフェイス部２１１は、アンテナ、ＲＦ（Radio Frequency）回路、及び、変調／復調回路を含む無線通信インターフェイスであってもよい。例えば、無線ＬＡＮ（ＷｉＦｉ（登録商標）を含む）、Ｂｌｕｅｔｏｏｔｈ（登録商標）、Ｍｉｒａｃａｓｔ（登録商標）等に対応するインターフェイスであってもよい。
本実施形態のインターフェイス部２１１は、無線ＬＡＮ通信可能な無線通信インターフェイスである。
【００２８】
タブレット２は、制御部２１２、表示部２１３、入力部２１４、及び記憶部２２０を備え、これらの各部及びインターフェイス部２１１はバス２３０で相互接続される。制御部２１２は、図示しないＣＰＵ（Central Processing Unit）、ＲＡＭ（Random Access Memory）、ＲＯＭ（Read Only Memory）等を備える。制御部２１２は、ＲＯＭが記憶する制御プログラム、及び記憶部２２０が記憶する制御プログラムをＣＰＵで実行し、タブレット２の各部を制御する。
【００２９】
表示部２１３及び入力部２１４はタッチパネル２０１に接続される。表示部２１３は、制御部２１２の制御に従い、タッチパネル２０１に各種画面を表示させる。入力部２１４は、タッチパネル２０１における接触操作を検出して、検出した操作の位置を示す座標データを制御部２１２に出力する。
【００３０】
記憶部２２０は、制御部２１２が実行するプログラムや、各種データを不揮発的に記憶する。記憶部２２０は、画像データ２２１及び設定データ２２２を記憶する。
画像データ２２１は、表示部２１３がタッチパネル２０１に表示させる画像や文字等を含む表示用の画像データである。制御部２１２は、画像データ２２１に基づく画像を表示部２１３に表示させることができる。制御部２１２は、プロジェクター１００が送信する画像データをインターフェイス部２１１で受信した場合、画像データ２２１として記憶して、画像データ２２１に基づき画像を表示する。
【００３１】
設定データ２２２は、タブレット２の動作に関して事前に設定された情報を含む。例えば、設定データ２２２は、インターフェイス部２１１の通信設定に関する情報を含む。具体的には、タブレット２のＭＡＣ（Media Access Control）アドレス、ＩＰ（Internet Protocol）アドレス、ネットワーク名、ＳＳＩＤ（Service Set IDentifier）等を含んでもよい。また、インターフェイス部２１１が接続する機器のＳＳＩＤ、セキュリティ設定の種別、パスワードやパスキー、端末名称等を含んでもよい。セキュリティ設定は、例えば、ＷＥＰ（Wired Equivalent Privacy）、ＷＰＡ（Wi-Fi Protected Access）等から選択できる。設定データ２２２は、インターフェイス部２１１の通信設定に関する情報を含んでもよいし、通信相手の機器（プロジェクター１００等）の通信設定に関する情報を含んでもよい。
【００３２】
制御部２１２は、設定データ２２２を参照し、インターフェイス部２１１によりプロジェクター１００と無線データ通信を実行する。
制御部２１２は、画像データ２２１をプロジェクター１００に送信する機能を有する。この機能の実行時、制御部２１２は、タッチパネル２０１により検出する操作に従って、記憶部２２０から画像データ２２１を読み出してインターフェイス部２１１により送信する。また、制御部２１２は、インターフェイス部２１１により、プロジェクター１００から画像データを受信した場合、受信した画像データを、画像データ２２１として記憶する。
【００３３】
また、制御部２１２は、タッチパネル２０１でタッチ操作を検出した場合、検出したタッチ操作の操作位置を示すデータを、プロジェクター１００に送信する機能を有する。この機能の実行時、制御部２１２は、タッチパネル２０１で検出した操作位置を、例えば、タッチパネル２０１に仮想的に設定される座標系の座標データとして送信する。制御部２１２が検出する操作位置は、タッチパネル２０１において位置検出を行う領域全体に対する相対位置である。制御部２１２は、検出位置の相対位置を示す座標データを、インターフェイス部２１１によりプロジェクター１００に送信する。
【００３４】
タブレット３は、タブレット２と同様に構成される。即ち、タブレット３は、プロジェクター１００等の外部機器に接続するインターフェイス（Ｉ／Ｆ）部３１１を備える。インターフェイス部３１１の構成は、インターフェイス部２１１と同様である。
また、タブレット３は、制御部３１２、表示部３１３、入力部３１４、及び記憶部３２０を備え、これらの各部及びインターフェイス部３１１はバス３３０によりデータ通信可能に接続する。制御部３１２は、図示しないＣＰＵ、ＲＡＭ、ＲＯＭ等を備え、ＲＯＭが記憶する制御プログラム、及び記憶部３２０が記憶する制御プログラムを実行して、タブレット３の各部を制御する。
【００３５】
表示部３１３及び入力部３１４はタッチパネル３０１に接続される。表示部３１３は、制御部３１２の制御に従い、タッチパネル３０１に各種画面を表示する。入力部３１４は、タッチパネル３０１における接触操作を検出して、検出した操作の位置を示す座標データを制御部３１２に出力する。
【００３６】
記憶部３２０は、制御部３１２が実行するプログラムや、各種データを不揮発的に記憶する。記憶部３２０は、画像データ３２１及び設定データ３２２を記憶する。
画像データ３２１は、タッチパネル３０１に表示する画像や文字等を含む表示用の画像データである。制御部３１２は、画像データ３２１に基づく画像を表示部３１３に表示させることができる。制御部３１２は、プロジェクター１００が送信する画像データをインターフェイス部３１１で受信した場合、画像データ３２１として記憶して、画像データ３２１に基づき画像を表示する。
【００３７】
設定データ３２２は、タブレット３の動作に関して事前に設定された情報を含む。例えば、設定データ３２２は、インターフェイス部３１１の通信設定に関する情報を含む。具体的には、タブレット３のＭＡＣアドレス、ＩＰアドレス、ネットワーク名、ＳＳＩＤ等を含んでもよい。また、インターフェイス部３１１が接続する機器のＳＳＩＤ、セキュリティ設定の種別、パスワードやパスキー、端末名称等を含んでもよい。セキュリティ設定は、例えば、ＷＥＰ、ＷＰＡ等から選択できる。設定データ３２２は、インターフェイス部３１１の通信設定に関する情報を含んでもよいし、通信相手の機器（プロジェクター１００等）の通信設定に関する情報を含んでもよい。
【００３８】
制御部３１２は、設定データ３２２を参照して、プロジェクター１００との間で無線通信を確立して、プロジェクター１００と無線によるデータ通信を実行する。制御部３１２が画像データ３２１をプロジェクター１００に送信すると、プロジェクター１００が、画像データ３２１を受信して画像データ３２１に基づく画像を投射する。制御部３１２は、プロジェクター１００に送信する画像データ３２１に基づく画像を、表示部３１３により表示することもできる。
【００３９】
また、制御部３１２は、タッチパネル３０１でタッチ操作を検出した場合、検出したタッチ操作の操作位置を示すデータを、プロジェクター１００に送信する機能を有する。この機能の実行時、制御部３１２は、タッチパネル３０１で検出した操作位置を、例えば、タッチパネル３０１に仮想的に設定される座標系の座標データとして送信する。制御部３１２が検出する操作位置は、タッチパネル３０１において位置検出を行う領域全体に対する相対位置である。制御部３１２は、検出位置の相対位置を示す座標データを、インターフェイス部３１１によりプロジェクター１００に送信する。
【００４０】
図３は、プロジェクター１００の機能ブロック図である。図３には、指示体７０の機能ブロックを合わせて図示する。
プロジェクター１００は、インターフェイス（Ｉ／Ｆ）部１１及び画像インターフェイス（Ｉ／Ｆ）部１２を備える。インターフェイス部１１及び画像インターフェイス部１２は、外部機器に接続されるインターフェイスである。インターフェイス部１１は、外部の機器に有線接続する有線接続用のコネクターと、このコネクターに対応するインターフェイス回路とを備える有線の通信インターフェイスであってもよい。具体的には、有線ＬＡＮ、ＩＥＥＥ１３９４、ＵＳＢ等に準拠したものが挙げられる。画像インターフェイス部１２は、インターフェイス部１１と同様の通信インターフェイスであってもよいし、画像入力インターフェイスであってもよい。例えば、ＤＶＩ（Digital Visual Interface）、Ｄ端子、Ｓ端子、コンポジット、Ｄ−Ｓｕｂインターフェイス等であってもよい。また、画像インターフェイス部１２は、音声データが入力されるインターフェイスを備えてもよい。
【００４１】
インターフェイス部１１及び画像インターフェイス部１２は、アンテナ、ＲＦ回路、及び、変調／復調回路を含む無線通信インターフェイスであってもよい。例えば、無線ＬＡＮ（ＷｉＦｉを含む）、Ｂｌｕｅｔｏｏｔｈ、Ｍｉｒａｃａｓｔ等に対応するインターフェイスであってもよい。
【００４２】
インターフェイス部１１は、後述する制御部３０の制御に従って、外部の機器との間で各種データを送受信する。インターフェイス部１１は、画像の投射に関するデータ、プロジェクター１００の動作を設定するデータ等を入出力する。
本実施形態のインターフェイス部１１は、無線ＬＡＮインターフェイスを備え、制御部３０の制御に従って、タブレット２、３と無線データ通信を実行する。また、インターフェイス部１１は、通信回線に接続されて、図示しない外部の機器（サーバー等）と通信可能である。
【００４３】
画像インターフェイス部１２は、例えば、上述した画像供給装置に接続され、デジタル画像データ、或いはアナログ画像信号が入力される。プロジェクター１００は、画像インターフェイス部１２に入力されるデジタル画像データ、或いはアナログ画像信号に基づき画像を投射できる。本実施形態では、画像インターフェイス部１２にデジタル画像データが入力される構成とする。
【００４４】
プロジェクター１００は、光学的な画像の形成を行う投射部２０（表示部）を備える。投射部２０は、光源部２１、光変調装置２２及び投射光学系２３を有する。光源部２１は、キセノンランプ、超高圧水銀ランプ、ＬＥＤ（Light Emitting Diode）又はレーザー光源等からなる光源を備える。また、光源部２１は、光源が発した光を光変調装置２２に導くリフレクター及び補助リフレクターを備えていてもよい。さらに、光源部２１は、投射光の光学特性を高めるためのレンズ群（図示略）、偏光板、又は光源が発した光の光量を光変調装置２２に至る経路上で低減させる調光素子等を備えていてもよい。
【００４５】
光変調装置２２は、例えばＲＧＢの三原色に対応した３枚の透過型液晶パネルを備え、この液晶パネルを透過する光を変調して画像光を生成する。光源部２１からの光はＲＧＢの３色の色光に分離され、それぞれの色光は対応する液晶パネルに入射される。液晶パネルを通過して変調された色光はクロスダイクロイックプリズム等の合成光学系によって合成され、投射光学系２３に射出される。
【００４６】
投射光学系２３は、光変調装置２２で変調された画像光をスクリーンＳＣ方向へ導き、スクリーンＳＣ上に結像させる。また、投射光学系２３は、スクリーンＳＣの表示画像の拡大・縮小を行うズーム機構、フォーカスの調整を行うフォーカス調整機構を備えてもよい。プロジェクター１００が短焦点型である場合、投射光学系２３に、画像光をスクリーンＳＣに向けて反射する凹面鏡を備えていてもよい。
【００４７】
投射部２０は、制御部３０の制御に従って光源部２１を点灯させる光源駆動部４５、及び制御部３０の制御に従って光変調装置２２を動作させる光変調装置駆動部４６に接続される。光源駆動部４５は、光源部２１の点灯、消灯の切り替えを行い、光源部２１の光量を調整する機能を有していてもよい。
【００４８】
プロジェクター１００は、投射部２０が投射する画像を処理する画像処理系を備える。この画像処理系は、プロジェクター１００を制御する制御部３０、記憶部６０、入力受付部１７、画像処理部４０、光源駆動部４５及び光変調装置駆動部４６を含む。また、画像処理部４０にはフレームメモリー４１が接続され、制御部３０には位置検出部５０が接続される。これらの各部を画像処理系に含めてもよい。
【００４９】
制御部３０は、図示しないＣＰＵ、ＲＯＭ、ＲＡＭを備え、ＲＯＭが記憶する基本制御プログラムをＣＰＵで実行することにより、プロジェクター１００を制御する。また、制御部３０のＣＰＵは、記憶部６０（図４）が記憶する制御プログラム６１を実行し、記憶部６０が記憶する設定データ６２、コンテンツデータ６３等のデータを処理する。
【００５０】
記憶部６０は、制御部３０を構成するＣＰＵが実行するプログラム、及び、制御部３０により処理される各種データを不揮発的に記憶する。
【００５１】
図４は、記憶部６０の構成、及び、記憶部６０が記憶するデータの模式図である。
本実施形態の記憶部６０は、一例として、制御プログラム６１、設定データ６２、及びコンテンツデータ６３を記憶する。また、記憶部６０には表示データ記憶部６４が形成される。
【００５２】
制御プログラム６１は、制御部３０が実行するプログラムである。
設定データ６２は、プロジェクター１００の動作に関して事前に設定された情報を含む。例えば、設定データ６２は、インターフェイス部１１の通信設定に関する情報を含む。具体的には、インターフェイス部１１のＭＡＣアドレス、ＩＰアドレス、ネットワーク名、ＳＳＩＤ等を含んでもよい。また、インターフェイス部１１が接続する機器（タブレット２、及び、タブレット３を含む）のＳＳＩＤ、セキュリティ設定の種別、パスワードやパスキー、端末名称等を含んでもよい。セキュリティ設定は、例えば、ＷＥＰ、ＷＰＡ等から選択できる。また、設定データ６２は、インターフェイス部１１に接続するタブレット２、及びタブレット３を識別する情報を含んでもよい。例えば、タブレット２、及びタブレット３に予め付与される固有のＩＤ等を含んでもよい。また、後述するように、設定データ６２は、タブレット２のタッチパネル２０１におけるタッチ操作の検出解像度、及び、タブレット３のタッチパネル３０１におけるタッチ操作の検出解像度に関する情報を含んでもよい。また、設定データ６２は、画像インターフェイス部１２に接続する機器に関する情報を含んでもよい。
【００５３】
コンテンツデータ６３は、静止画像データ、及び、動画像（映像）データ等の画像データである。制御部３０は、コンテンツデータ６３に基づき投射部２０により画像を投射できる。コンテンツデータ６３は、複数の画像データを含んでもよい。また、制御部３０が、インターフェイス部１１または画像インターフェイス部１２に入力される画像データを取得して、コンテンツデータ６３として記憶部６０に記憶してもよい。コンテンツデータ６３に含まれるそれぞれの画像データは、音声データが付加されたデータであってもよい。また、コンテンツデータ６３は、画像データと音声データとを対応づけて含んでもよい。
【００５４】
表示データ記憶部６４は、記憶部６０の記憶領域に設けられる仮想的な記憶部である。表示データ記憶部６４は、記憶部６０とは別の記憶部であってもよい。
表示データ記憶部６４は、第１表示データ６０１、及び、第２表示データ６０２を対応付けて記憶する。第１表示データ６０１は、制御部３０の制御により投射部２０が投射（表示）した画像の画像データである。第２表示データ６０２は、第１表示データ６０１に対応する画像を投射部２０が投射した状態で、後述するオブジェクト処理部３４により生成された表示オブジェクトが合成された画像のデータである。また、第２表示データ６０２には、入力端末データ６０３が対応付けて記憶される。第１表示データ６０１、第２表示データ６０２、及び入力端末データ６０３については後述する。
【００５５】
画像処理部４０は、制御部３０の制御に従って画像データを処理し、光変調装置駆動部４６に画像信号を出力する。画像処理部４０が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部４０は、制御部３０により指定された処理を実行し、必要に応じて、制御部３０から入力されるパラメーターを使用して処理を行う。また、上記のうち複数の処理を組み合わせて実行することも勿論可能である。
【００５６】
画像処理部４０は、フレームメモリー４１に接続される。画像処理部４０は、画像インターフェイス部１２に入力される画像データを、入力画像データとして処理する。制御部３０により、インターフェイス部１１に入力される画像データが画像処理部４０に転送される場合、画像処理部４０は、制御部３０が転送する画像データを入力画像データとして処理する。インターフェイス部１１に入力される画像データは、例えば、制御部３０の制御により、プロジェクター１００が外部の機器と通信を行って、外部の機器から取得する画像データを含む。ここで、外部の機器は、タブレット２、３であってもよいし、インターフェイス部１１に有線接続される書画カメラ（図示略）であってもよいし、通信回線を介してインターフェイス部１１に接続されるサーバー（図示略）であってもよい。また、制御部３０により、記憶部６０が記憶するコンテンツデータ６３が画像処理部４０に転送される場合、画像処理部４０は、制御部３０が転送する画像データを入力画像データとして処理する。
【００５７】
画像処理部４０が処理する入力画像データは、本発明のコンテンツデータに相当する。インターフェイス部１１から入力される画像データ、画像インターフェイス部１２から入力される画像データ、及び、制御部３０が転送するコンテンツデータ６３の全てが、上記コンテンツデータに該当する。
【００５８】
画像処理部４０は、入力画像データをフレームメモリー４１に展開し、フレームメモリー４１に画像を描画する。画像処理部４０は、フレームメモリー４１に展開した画像に対し、上記の各処理を実行する。
【００５９】
画像処理部４０は、処理後の画像データをフレームメモリー４１から読み出して、この画像データに対応するＲ、Ｇ、Ｂの画像信号を生成し、光変調装置駆動部４６に出力する。画像処理部４０は、例えば、画像インターフェイス部１２に入力される画像データが、連続するフレームで構成される動画像データである場合、それぞれのフレームをフレームメモリー４１に展開する。この場合、画像処理部４０は、画像インターフェイス部１２から入力されるフレームを順次、フレームメモリー４１に展開し、投射部２０によって投射させる。
【００６０】
光変調装置駆動部４６は、光変調装置２２の液晶パネルに接続される。光変調装置駆動部４６は、画像処理部４０から入力される画像信号に基づいて液晶パネルを駆動し、各液晶パネルに画像を描画する。
【００６１】
入力受付部１７は、リモコン受光部１８及び操作パネル１９に接続され、リモコン受光部１８及び操作パネル１９を介した操作を検出する。リモコン受光部１８及び操作パネル１９は、入力デバイスとして機能する。
リモコン受光部１８は、プロジェクター１００のユーザーが使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
操作パネル１９は、プロジェクター１００の外装筐体に設けられ、各種スイッチ及びインジケーターランプを有する。入力受付部１７は、制御部３０の制御に従い、プロジェクター１００の動作状態や設定状態に応じて操作パネル１９のインジケーターランプを適宜点灯及び消灯させる。操作パネル１９のスイッチが操作されると、操作されたスイッチに対応する操作データが入力受付部１７から制御部３０に出力される。
【００６２】
位置検出部５０は、指示体７０による位置指示操作の指示位置を検出する。位置検出部５０は、撮影部５１、送信部５２、撮影制御部５３、対象検出部５４及び座標算出部５５の各部を備える。
【００６３】
撮影部５１は、少なくとも投射領域１０を含む撮影範囲を撮影し、撮影画像を形成する。位置検出部５０は、撮影部５１の撮影範囲において、指示体７０の操作を検出する。従って、撮影部５１の撮影範囲が位置検出部５０の検出領域に相当する。本実施形態では、検出領域と投射領域１０が一致する。
撮影部５１は、赤外光を撮影する赤外用撮像素子、及び、インターフェイス回路を備え、赤外光による撮影を行う。撮像素子には、ＣＣＤ、ＣＭＯＳのいずれを用いることも可能であり、また、他の素子を用いてもよい。撮影部５１の撮影方向および撮影範囲（画角）は、投射光学系２３と同じ方向、又は略同じ方向を向き、投射光学系２３がスクリーンＳＣ上に画像を投射する範囲、すなわち投射領域１０をカバーする。撮影部５１は、撮影を行った後、撮影画像データを出力する。
【００６４】
撮影制御部５３は、制御部３０の制御に従って撮影部５１を制御し、撮影部５１に撮影を実行させる。撮影制御部５３は、撮影部５１の撮影画像データを取得して、対象検出部５４に出力する。撮影部５１が赤外光を撮影した撮影画像データには、指示体７０が発する赤外光の像が写る。
【００６５】
送信部５２は、撮影制御部５３の制御に従って、指示体７０に対して同期用の赤外線信号を送信する。送信部５２は、赤外ＬＥＤ等の光源を有し、この光源を撮影制御部５３の制御に従って点灯及び消灯させる。
【００６６】
対象検出部５４は、撮影部５１の撮影画像データに写った赤外光の像を検出して、撮影画像データにおける、指示体７０の位置の座標を検出する。また、対象検出部５４は、指示体７０の先端部７１がスクリーンＳＣに接触しているか否かを判定する。対象検出部５４は、判定結果に基づき、先端部７１がスクリーンＳＣに接触しているか否かを示すタッチ情報を生成する。指示体７０の先端部７１がスクリーンＳＣに接触しているか否かの判定方法は後述する。
【００６７】
対象検出部５４が検出する指示体７０の位置の座標は、撮影部５１の撮影画像データにおける座標である。
座標算出部５５は、対象検出部５４が検出した位置の座標を、スクリーンＳＣにおける座標に変換する。より詳細には、座標算出部５５は、対象検出部５４が検出した位置の座標を、スクリーンＳＣに投射される投射画像（表示画像）全体を基準とする座標に変換する。
【００６８】
撮影部５１の撮像画像と、投射部２０が投射する投射画像との関係は、プロジェクター１００とスクリーンＳＣとの距離、投射光学系２３におけるズーム率、プロジェクター１００の設置角度、撮影部５１とスクリーンＳＣとの距離等の様々な要素の影響を受ける。座標算出部５５は、事前に実施されるキャリブレーションの結果に基づき、対象検出部５４が撮影画像データから検出した座標をもとに、スクリーンＳＣの投射画像を基準とする座標を算出する。座標算出部５５が算出した座標が、指示位置の座標として処理される。
【００６９】
キャリブレーションでは、制御部３０の制御により、所定のパターン画像を投射部２０からスクリーンＳＣに投射して、表示されたパターン画像を撮影部５１が撮影する。そして、制御部３０は、撮影部５１が撮影したパターン画像に基づいて、撮影画像データにおける座標と、スクリーンＳＣの表示画像上の座標との対応関係を示す座標変換パラメーターを算出する。制御部３０は、算出した座標変換パラメーターを、例えば設定データ６２に含めて記憶部６０に記憶する。座標算出部５５は、記憶部６０が記憶する座標変換パラメーターを用いて、対象検出部５４が検出した座標を変換する処理を行える。
ここで、座標算出部５５が変換した座標は、スクリーンＳＣの表示画像上の座標であり、光変調装置２２に形成される画像における座標ということができ、画像処理部４０がフレームメモリー４１に描画した画像における座標といえる。従って、位置検出部５０は、制御部３０に対し、フレームメモリー４１の画像を基準とする指示位置の座標を出力する。
【００７０】
指示体７０は、制御部７３、送受信部７４、操作スイッチ７５及び電源部７６を備える。これらの各部は軸部７２（図１）に収容される。
制御部７３は、送受信部７４及び操作スイッチ７５に接続され、操作スイッチ７５のオン／オフ状態を検出する。操作スイッチ７５は、指示体７０の先端部７１に配置されており、先端部７１がスクリーンＳＣに押し付けられた場合にオンとなる。送受信部７４は、赤外ＬＥＤ等の光源と、赤外光を受光する受光素子とを備え、制御部７３の制御に従って光源を点灯及び消灯させるとともに、受光素子の受光状態を示す信号を制御部７３に出力する。
電源部７６は、電源として乾電池又は二次電池を有し、制御部７３、送受信部７４及び操作スイッチ７５の各部に電力を供給する。指示体７０は、電源部７６からの電源供給をオン／オフする電源スイッチを備えていてもよい。
【００７１】
位置検出部５０と指示体７０との相互の通信により、撮影部５１の撮影画像データから指示体７０の位置を特定する方法について説明する。
プロジェクター１００の制御部３０は、指示体７０による操作を検出する場合に、撮影制御部５３を制御して、送信部５２から同期用の信号を送信させる。すなわち、撮影制御部５３は、制御部３０の制御に従って、送信部５２の光源を所定の周期で点灯させる。送信部５２が周期的に発する赤外光が、位置検出部５０と指示体７０とを同期させる同期信号として機能する。
一方、指示体７０の制御部７３は、電源部７６から電源の供給が開始され、所定の初期化動作を行った後、プロジェクター１００の送信部５２が発する赤外光を、送受信部７４により受光する。送信部５２が周期的に発する赤外光を送受信部７４により受光すると、制御部７３は、この赤外光のタイミングに同期させて、予め設定された指示体７０に固有の点灯パターンで送受信部７４の光源を点灯（発光）させる。また、制御部７３は、操作スイッチ７５の操作状態に応じて、送受信部７４の点灯パターンを切り替える。このため、プロジェクター１００の対象検出部５４は、順次撮影される複数の撮影画像データに基づいて、指示体７０の操作状態、すなわち先端部７１がスクリーンＳＣに押しつけられているか否かを判定できる。
また、制御部７３は、電源部７６から電源が供給されている間、上記の動作を繰り返し実行する。つまり、送信部５２は、指示体７０に対し、同期用の赤外線信号を周期的に送信し、指示体７０は、送信部５２が送信する赤外線信号に同期して、予め設定された赤外線信号を送信する。
【００７２】
撮影制御部５３は、撮影部５１による撮影タイミングを、指示体７０が点灯するタイミングに合わせる制御を行う。撮影タイミングは、撮影制御部５３が送信部５２を点灯させるタイミングに基づいて決定される。対象検出部５４は、順次撮影される複数の撮影画像データのそれぞれに指示体７０の光の像が写っているか否かにより、指示体７０が点灯するパターンを特定できる。対象検出部５４は、複数の撮影画像データに基づいて、指示体７０の先端部７１がスクリーンＳＣに押しつけられているか否かを判定して、タッチ情報を生成する。
また、指示体７０の点灯パターンは、指示体７０の個体毎に固有のパターンであってもよく、複数の指示体７０に共通のパターンと個体毎に固有のパターンとを含んでいてもよい。この場合、対象検出部５４は、撮影画像データに複数の指示体７０が発する赤外光の像が含まれる場合に、各々の像を、異なる指示体７０の像として区別できる。
【００７３】
制御部３０は、記憶部６０が記憶する制御プログラム６１を読み出して実行することにより投射制御部３１、入力検出部３２、通信制御部３３、オブジェクト処理部３４、及び合成制御部３５の機能を実現し、プロジェクター１００の各部を制御する。
【００７４】
投射制御部３１は、入力受付部１７から入力される操作データに基づいて、ユーザーがリモコンを操作して行った操作内容を取得する。投射制御部３１は、ユーザーが行った操作に応じて画像処理部４０、光源駆動部４５及び光変調装置駆動部４６を制御し、スクリーンＳＣに画像を投射させる。
また、投射制御部３１は、画像処理部４０を制御して、上述した３Ｄ（立体）画像と２Ｄ（平面）画像の判別処理、解像度変換処理、フレームレート変換処理、歪み補正処理、デジタルズーム処理、色調補正処理、輝度補正処理等を実行させる。また、投射制御部３１は、画像処理部４０の処理に合わせて光源駆動部４５を制御し、光源部２１の光量を制御する。
【００７５】
入力検出部３２（検出部）は、描画に係る入力を検出する。入力検出部３２は、位置検出部５０が出力する指示位置の座標を取得する。入力検出部３２は、位置検出部５０から取得した座標を示すデータを、オブジェクト処理部３４に出力する。
【００７６】
また、入力検出部３２は、インターフェイス部１１により、タブレット２またはタブレット３が送信した操作位置のデータを受信した場合、この操作位置のデータを取得する。入力検出部３２は、取得した操作位置のデータを、オブジェクト処理部３４に出力する。ここで、タブレット２またはタブレット３から受信した操作位置のデータを、オブジェクト処理部３４が処理可能なデータに変換してもよい。
これらにより、入力検出部３２は、指示体７０を用いた位置指示操作を検出して指示位置を取得し、タブレット２、３のタッチによる位置指示操作を検出して、指示位置を取得する。
【００７７】
上述したように、タブレット２は、タッチパネル２０１でタッチ操作を検出した場合、タッチ操作の操作位置を特定し、操作位置を示す座標データを送信する機能を有する。タブレット３は、タッチパネル３０１でタッチ操作を検出した場合、検出したタッチ操作の操作位置を特定し、操作位置を示す座標データを送信する機能を有する。タブレット２が送信する座標データは、タッチパネル２０１において位置検出を行う領域の全体を基準とする座標を示す。入力検出部３２は、インターフェイス部１１がタブレット２から受信した座標データを、画像処理部４０が処理する画像データの解像度を基準とする座標データに変換する。同様に、タブレット３が送信する座標データは、タッチパネル３０１において位置検出を行う領域の全体を基準とする座標を示す。入力検出部３２は、インターフェイス部１１がタブレット３から受信した座標データを、画像処理部４０が処理する画像データの解像度を基準とする座標データに変換する。つまり、入力検出部３２は、タブレット２、３が検出した操作位置の座標を、フレームメモリー４１に描画される画像における座標に変換する。
【００７８】
座標を変換する処理において、入力検出部３２は、タッチパネル２０１で位置検出を行う領域全体の座標に関するデータを利用する。例えば、タッチパネル２０１が位置検出を行う領域の検出解像度、座標軸ごとの原点の位置及び最大座標値、等を含む。また、入力検出部３２は、タッチパネル２０１と同様に、タッチパネル３０１で位置検出を行う領域全体の座標に関するデータを利用する。また、入力検出部３２は、位置検出部５０が位置検出を行う領域全体の座標に関するデータを利用する。これらのデータは、例えば、設定データ６２に含まれる。また、入力検出部３２は、画像処理部４０が処理する画像データの解像度に関するデータを利用する。このデータは、例えば、設定データ６２に含まれる。
【００７９】
一方、位置検出部５０が制御部３０に出力する指示位置の座標データは、フレームメモリー４１に描画される画像における座標である。
【００８０】
このように、入力検出部３２により、指示体７０により指示された指示位置の座標、及び、タブレット２、３のタッチ操作により指示された指示位置の座標を、画像処理部４０が処理する画像データの解像度を基準とする座標データとして、得ることができる。
【００８１】
制御部３０は、指示位置に基づきＧＵＩ操作を実現するＧＵＩ操作モードを実行することもできる。このＧＵＩ操作モードの実行中、制御部３０は、投射領域１０にメニューバー等のＧＵＩ操作用の画像を表示させる。入力検出部３２は、指示位置の座標データに基づきメニューバーのアイコン等に対する操作の有無を判定し、判定結果に基づき処理を実行する。制御部３０は、ＧＵＩ操作モードと、ＧＵＩ操作モードでない動作モード、すなわち指示位置に基づき描画等を行う描画モードとを切り換えて実行できる。以下では、描画モードにおけるプロジェクター１００の動作を説明する。
【００８２】
描画モードにおいて、入力検出部３２は、指示位置の座標データをオブジェクト処理部３４に出力する。指示位置の座標データは、位置検出部５０が出力する座標データ、及び、タブレット２、３からインターフェイス部１１により受信し入力検出部３２が変換した座標データを含む。入力検出部３２は、オブジェクト処理部３４に対し、座標データとともに、座標データの取得元を示すデータを出力することもできる。例えば、入力検出部３２は、位置検出部５０が出力した座標データを取得してオブジェクト処理部３４に出力する場合、オブジェクト処理部３４に、座標データの取得元が位置検出部５０であることを示すデータを出力する。オブジェクト処理部３４は、入力検出部３２が出力する座標データ、及び、座標データの取得元を示すデータを取得する。
【００８３】
通信制御部３３は、インターフェイス部１１を介したタブレット２及びタブレット３との通信を制御する。通信制御部３３は、複数のタブレット３から１または複数のタブレット３を選択し、選択したタブレット３に対し画像データを送信する等の制御を行う。
【００８４】
オブジェクト処理部３４は、入力検出部３２が出力する座標データに基づいて、文字や図形を描画する。例えば、オブジェクト処理部３４は、入力検出部３２が出力する座標データに対応する位置に、予め設定された画像や文字を配置する。また、例えば、オブジェクト処理部３４は、入力検出部３２が出力する座標データから、指示位置の軌跡を取得し、取得した軌跡に基づいて、表示オブジェクトを生成する処理を実行する。表示オブジェクトは、例えば、文字（テキスト）、あるいは、直線、曲線、多角形等の図形（画像）を含む。オブジェクト処理部３４が、指示位置の軌跡を文字に変換する処理を文字認識処理と呼び、指示位置の座標に従って画像を生成する処理を描画処理と呼ぶ。
【００８５】
表示オブジェクトの種類は、合成制御部３５の制御により指定される。例えば、合成制御部３５は、オブジェクト処理部３４により文字認識処理を行って文字を入力する文字認識モードと、オブジェクト処理部３４により描画処理を行う描画モードとを切り換える。文字認識モードと描画モードとの切り換えは、入力検出部３２が検出する操作により行うことができる。オブジェクト処理部３４は、文字認識モードでは表示オブジェクトとしてテキストを生成し、描画モードでは表示オブジェクトとして画像を生成する。
オブジェクト処理部３４が生成した表示オブジェクトは、合成制御部３５によって画像処理部４０に転送され、画像処理部４０がフレームメモリー４１上の画像に表示オブジェクトを合成する。これにより、表示オブジェクトを含む画像が投射部２０により投射される。
【００８６】
合成制御部３５は、オブジェクト処理部３４を制御して、入力検出部３２が出力する座標データに基づき表示オブジェクトを生成させる。オブジェクト処理部３４が生成する表示オブジェクトが、文字（テキスト）のデータを含む場合、合成制御部３５が、テキストデータを画像データに変換して画像処理部４０に転送してもよい。また、オブジェクト処理部３４がテキストデータを画像データに変換した表示オブジェクトを生成してもよい。
【００８７】
合成制御部３５は、表示オブジェクトの画像データを画像処理部４０に転送する。合成制御部３５は、画像処理部４０が、フレームメモリー４１に描画した画像に、表示オブジェクトを重畳する処理を制御する。画像処理部４０は、合成制御部３５の制御に従って、フレームメモリー４１の画像に表示オブジェクトを合成する合成処理を実行する。合成処理で、画像処理部４０は、入力画像データに基づきフレームメモリー４１に描画した画像に、表示オブジェクトの画像データに基づく画像を重ねて描画し、１つの画像とする。合成処理の後、フレームメモリー４１は１つの画像を記憶した状態である。合成制御部３５は、画像処理部４０がフレームメモリー４１に表示オブジェクトを配置する位置や、表示オブジェクトのサイズを制御する。
【００８８】
合成制御部３５は、画像処理部４０が合成処理を行う場合に、合成前にフレームメモリー４１が記憶する画像の画像データを生成し、第１表示データ６０１（図４）として記憶部６０に記憶させる。また、合成制御部３５は、合成処理後の画像の画像データを生成し、第２表示データ６０２として、第１表示データ６０１に対応付けて記憶部６０に記憶させる。また、合成制御部３５は、第２表示データ６０２に入力端末データ６０３を対応付けて記憶させる。
【００８９】
また、オブジェクト処理部３４は、入力検出部３２から座標データとともに、座標データの取得元を示すデータを取得することができる。合成制御部３５は、オブジェクト処理部３４が生成する表示オブジェクトを画像処理部４０に転送する際に、座標データの取得元を示すデータを取得する。すなわち、合成制御部３５は、オブジェクト処理部３４から、表示オブジェクトを生成する文字認識処理または描画処理で利用された座標データの取得元を示すデータを、表示オブジェクトとともに取得する。この座標データの取得元を示すデータが、入力端末データ６０３として記憶部６０に記憶される。入力端末データ６０３は、オブジェクト処理部３４が表示オブジェクトを生成する毎、或いは、合成制御部３５が表示オブジェクトを合成する毎に生成される。従って、典型的な例としては、１つの第２表示データ６０２に対応して１つの入力端末データ６０３が記憶され、第２表示データ６０２と入力端末データ６０３とは１対１で対応する。
【００９０】
合成制御部３５が、第１表示データ６０１を生成して記憶させる処理を実行するタイミングは任意である。本実施形態では２通りの例を示す。第１の例では、合成制御部３５は、画像処理部４０がフレームメモリー４１に画像を展開したとき、或いは、フレームメモリー４１の画像が投射されるときに、第1表示データ６０１を生成する。第２の例では、合成制御部３５は、画像処理部４０が合成処理を行うときに、合成前のフレームメモリー４１の画像に基づき第１表示データ６０１を生成する。
第１の例、及び第２の例において、第１表示データ６０１は、画像処理部４０が取得する入力画像データに限定されない。例えば、記憶部６０に第１表示データ６０１または第２表示データ６０２として記憶されている画像データを制御部３０が読み出して、画像処理部４０に転送した場合、転送された画像データを画像処理部４０が展開する。この場合、合成制御部３５は、画像処理部４０がフレームメモリー４１に展開した画像の画像データを、第１表示データ６０１として記憶させることができる。
【００９１】
第２表示データ６０２は、画像処理部４０が合成処理を行った後の、フレームメモリー４１の画像の画像データである。合成制御部３５は、画像処理部４０が表示オブジェクトを合成した場合、合成後の画像に基づき第２表示データ６０２を生成する。入力端末データ６０３は、オブジェクト処理部３４が表示オブジェクトを生成する場合に、入力を行った装置（デバイス）を示す。従って、第２表示データ６０２に含まれる表示オブジェクトに対応する装置を、入力端末データ６０３により特定できる。例えば、タブレット２に対するタッチ操作の指示位置に基づき、オブジェクト処理部３４が表示オブジェクトを生成し、合成制御部３５が合成した場合を想定する。この場合、合成された画像の画像データが第２表示データ６０２として記憶され、タブレット２を示す入力端末データ６０３が第２表示データ６０２に対応付けて記憶される。
【００９２】
図５は、プロジェクター１００の動作の説明図であり、コンテンツデータの一部を切り出して表示する処理を示す。図５に示すコンテンツデータ６３Ａは、コンテンツデータ６３の一具体例であり、文書データである。コンテンツデータ６３Ａは、プロジェクター１００が表示可能なサイズよりも、サイズが大きい。具体的には、コンテンツデータ６３Ａの横方向（水平方向）、及び、縦方向（垂直方向）のいずれも、プロジェクター１００が表示可能なサイズ、すなわちフレームメモリー４１に描画される画像のサイズよりも大きい。ここで、サイズとは、画像データを構成する横方向あるいは縦方向のドット数（画素数）を指す。フレームメモリー４１のサイズは、投射部２０が有する光変調装置２２に形成することが可能な画素数、或いはドット数に適合する。従って、画像処理部４０がフレームメモリー４１に描画する画像のサイズは、光変調装置２２において形成される画像のサイズに対応する。より具体的には、光変調装置２２に形成できる画像の最大サイズに等しい。
【００９３】
コンテンツデータ６３Ａは学習用のコンテンツデータ６３の一例であり、具体的には、数学の教材である。コンテンツデータ６３Ａの左側には数学の問題が配置され、この問題の解答が、問題の右側に配置される。コンテンツデータ６３Ａの縦方向に、複数の問題が並べられる。表示システム１において、タブレット２を操作するユーザーが、コンテンツデータ６３Ａの問題や解答を順にプロジェクター１００により表示させて、数学の講義を行うことが可能である。
【００９４】
画像処理部４０は、入力画像データのサイズが、フレームメモリー４１に描画可能なサイズと異なる場合に、入力画像データを拡大または縮小することにより入力画像データの全体をフレームメモリー４１に展開し、画像を描画する機能を有する。従って、画像処理部４０は、コンテンツデータ６３Ａの全体を縮小してフレームメモリー４１に展開することができる。この場合、コンテンツデータ６３Ａの全体が縮小されて、スクリーンＳＣの投射領域に投射される。
【００９５】
画像処理部４０は、入力画像データの一部を切り出して表示することも可能である。例えば、制御部３０が画像処理部４０に対して入力画像データをフレームメモリー４１に展開する際の表示倍率を指定する場合、画像処理部４０は、指定された表示倍率に従って、入力画像データを拡大または縮小する。入力画像データを拡大または縮小した結果、入力画像データのサイズがフレームメモリー４１に展開できるサイズより大きい場合、制御部３０は画像処理部４０を制御して、入力画像データを切り出す処理を行う。この場合、制御部３０は、入力画像データから、フレームメモリー４１のサイズに合う範囲を切り出す。
【００９６】
画像処理部４０では、入力画像データのサイズの上限として、表示可能サイズが設定される。表示可能サイズとは、フレームメモリー４１に展開することが可能な入力画像データのサイズである。本実施形態の画像処理部４０は、制御部３０の制御によってデジタルズーム処理を実行可能である。デジタルズーム処理で、画像処理部４０は、入力画像データを制御部３０が指定する倍率に合わせて拡大（伸長）してフレームメモリー４１に展開する。従って、デジタルズーム処理の倍率が１倍より大きい場合、フレームメモリー４１に展開できる画像データのサイズの上限は、フレームメモリー４１のサイズより小さい。画像処理部４０は、入力画像データのサイズが、フレームメモリー４１に展開可能なサイズの上限である表示可能サイズを超えるか否かを判定できる。表示可能サイズは、制御部３０が指定するデジタルズーム処理の倍率により定まる。制御部３０が表示可能サイズを設定してもよいし、制御部３０が指定する倍率に合わせて画像処理部４０において表示可能サイズが設定されてもよい。入力画像データのサイズ、及び、フレームメモリー４１のサイズは、例えば、解像度、或いはドット数で表される。画像処理部４０は、入力画像データのサイズが表示可能サイズを超える場合、入力画像データから表示可能サイズに相当する部分を切り出す処理を行う。
【００９７】
例えば、図５のコンテンツデータ６３Ａにおいて、画像処理部４０は、表示用データ６１１を切り出す。切り出される表示用データ６１１のサイズは表示可能サイズに適合するサイズである。表示可能サイズは、例えば、光変調装置２２が備える液晶パネルの表示解像度、或いは、液晶パネルに設定された表示可能領域の画素数に対応する。また、表示用データ６１１を、画像処理部４０が、光変調装置２２の表示可能領域または光変調装置２２の全体に合わせて解像度変換し、或いは、幾何補正する構成としてもよい。この場合、画像処理部４０が、表示用データ６１１を表示可能サイズに処理することが容易なように、表示用データ６１１のサイズが決定される。
【００９８】
コンテンツデータ６３Ａにおける表示用データ６１１の位置は制限されない。図５は、コンテンツデータ６３Ａの表示を開始する際に画像処理部４０が表示用データ６１１を切り出す場合の例を示している。このため、図５の表示用データ６１１は、コンテンツデータ６３Ａの先頭位置である左上隅部を含む。
【００９９】
コンテンツデータ６３Ａにおける表示用データ６１１の位置、すなわち切出位置は、制御部３０の制御により指定できる。制御部３０は、位置検出部５０が検出する操作、或いは、タブレット２、３における操作に応じて、コンテンツデータ６３Ａから切り出される表示用データ６１１の位置を設定できる。
【０１００】
また、表示用データ６１１に基づく画像をプロジェクター１００が表示している状態で、タブレット２、３または指示体７０の操作により、制御部３０は、コンテンツデータ６３Ａの切出位置を変更する。この場合、制御部３０は、入力検出部３２によりタブレット２、３または指示体７０による操作を受け付ける。制御部３０は、入力検出部３２で受け付けた操作に従って、コンテンツデータ６３Ａにおいて表示用データ６１１として切り出す位置を新たに設定する。制御部３０は、画像処理部４０を制御して、新たに設定した位置で表示用データ６１１を切り出し、フレームメモリー４１に展開する。制御部３０は、表示用データ６１１に基づいて表示した画像を、コンテンツデータ６３Ａから新たに切り出した表示用データ６１１に基づく画像に切り換える。
【０１０１】
また、制御部３０は、画像処理部４０により表示用データ６１１に基づく画像が表示された状態で、入力検出部３２により受け付ける操作に基づき、表示オブジェクトを生成して、表示中の画像に合成することができる。例えば、プロジェクター１００が、図５の表示用データ６１１に基づき数学の問題を含む画像を表示した状態で、文字や画像を描画して、数学の問題に重ねて表示できる。
【０１０２】
なお、制御部３０が画像処理部４０を制御して、コンテンツデータ６３の一部を切り出す処理を、インターフェイス部１１に入力される入力画像データ、及び、画像インターフェイス部１２に入力される入力画像データに対しても実行可能な構成としてもよい。
【０１０３】
制御部３０は、コンテンツデータ６３Ａから切り出された表示用データ６１１を表示する際に、後述する処理により、第１表示データ６０１を生成して記憶する。この処理で、制御部３０は、表示用データ６１１の画像データまたは表示用データ６１１から生成する画像データを、第１表示データ６０１Ａとして記憶部６０に記憶する。第１表示データ６０１Ａは、第１表示データ６０１の一具体例に相当する。第１表示データ６０１Ａは、表示用データ６１１そのものであってもよい。また、第１表示データ６０１Ａは、表示用データ６１１を解像度変換した画像データや、表示用データ６１１を幾何補正したデータであってもよいし、画像処理部４０によって表示用データ６１１にその他の画像処理を施したデータであってもよい。
【０１０４】
図６は、プロジェクター１００の動作を示すフローチャートである。図６に示す動作は、プロジェクター１００が画像の投射を開始する場合に、実行される。
【０１０５】
プロジェクター１００の制御部３０は、入力検出部３２によって検出した操作、或いは、事前の設定に従って、記憶部６０から表示データを呼び出すか否かを判定する（ステップＳ１１）。記憶部６０の表示データは、第１表示データ６０１、及び、第２表示データ６０２を含む。また、表示データを呼び出さない場合とは、コンテンツデータ６３に基づき画像を表示する場合、インターフェイス部１１または画像インターフェイス部１２に入力される入力画像データに基づき画像を表示する場合が該当する。ここでは一例として、コンテンツデータ６３を読み出して画像を表示する場合を説明する。ステップＳ１１では、合成制御部３５が、第１表示データ６０１または第２表示データ６０２を呼び出すか否かを判定する。この判定は、入力検出部３２によって検出した操作により第１表示データ６０１または第２表示データ６０２を呼び出す指示が入力されたか否かに基づき行われる。第１表示データ６０１または第２表示データ６０２を呼び出さない場合、後述するように、合成制御部３５はコンテンツデータ６３を取得する。従って、入力検出部３２によってコンテンツデータ６３を読み出す指示が入力された場合や、コンテンツデータ６３を読み出す設定がされている場合は、記憶部６０から表示データを呼び出さないと判定する。制御部３０は、記憶部６０から表示データを呼び出さないと判定した場合（ステップＳ１１；Ｎｏ）、コンテンツデータ６３を取得する（ステップＳ１２）。
【０１０６】
制御部３０は、取得したコンテンツデータ６３において表示する範囲を決定し、表示範囲のデータを取得する（ステップＳ１３）。例えば、図５のコンテンツデータ６３Ａのように、コンテンツデータ６３のサイズが表示可能範囲を超える場合、制御部３０は、例えば表示用データ６１１のようにコンテンツデータ６３の一部を画像処理部４０によって切り出す。画像処理部４０は、ステップＳ１３で切り出された表示範囲のデータをフレームメモリー４１に展開し、フレームメモリー４１に画像を描画する。コンテンツデータ６３のサイズが表示可能範囲以下のサイズである場合、制御部３０は、コンテンツデータ６３の全体を表示範囲のデータとして取得する。この場合、制御部３０は、画像処理部４０を制御して、コンテンツデータ６３を拡大してフレームメモリー４１に展開し、描画することも可能である。また、制御部３０は、画像処理部４０を制御してコンテンツデータ６３に基づきフレームメモリー４１の一部に画像を描画し、描画した画像の周囲において描画されない領域を黒色としてもよい。この黒色の領域は、投射部２０によって画像光が投射されない領域であるため、スクリーンＳＣの表示に影響しない。
【０１０７】
制御部３０は、画像処理部４０がフレームメモリー４１に描画した画像の画像データである第１表示データ６０１を生成して、記憶部６０に記憶する（ステップＳ１４）。これにより、後述するように描画が行われる前の状態の画像データが、第１表示データ６０１として記憶される。
その後、制御部３０は、フレームメモリー４１に描画された画像を投射部２０により表示させる（ステップＳ１５）。
【０１０８】
表示開始後、制御部３０は、入力検出部３２によって座標データの入力を受け付けたか否かを判定する（ステップＳ１６）。制御部３０は、タブレット２、３または位置検出部５０から座標データが入力されたか否かを判定する（ステップＳ１６）。タブレット２のタッチパネル２０１に対する操作、タブレット３のタッチパネル３０１に対する操作、及び、指示体７０による操作のいずれかが行われた場合、入力検出部３２が座標データの入力を受け付ける。入力検出部３２が座標データの入力を受け付けた場合（ステップＳ１６；Ｙｅｓ）、制御部３０は、第１表示データ６０１を既に作成したか否かを判定する（ステップＳ１７）。ステップＳ１７で、制御部３０は、フレームメモリー４１に描画されている画像の画像データを第１表示データ６０１として既に記憶済みか否かを判定する。制御部３０は、ステップＳ１７において、ステップＳ１６で座標データの入力を受け付けた時点で表示中の画像、すなわちフレームメモリー４１に描画された画像を対象として、判定する。別の表現では、後述するステップＳ２０〜Ｓ２１で表示オブジェクトを合成する処理を行う直前に表示された画像のデータを、第１表示データ６０１として記憶したか否かを判定する。
【０１０９】
表示中の画像を第１表示データ６０１として記憶していないと判定した場合（ステップＳ１７；Ｎｏ）、制御部３０は、フレームメモリー４１の画像の画像データを第１表示データ６０１として記憶部６０に記憶し（ステップＳ１８）、ステップＳ１９に移行する。また、表示中の画像を第１表示データ６０１として記憶したと判定した場合（ステップＳ１７；Ｙｅｓ）、制御部３０は、ステップＳ１９に移行する。
【０１１０】
ステップＳ１９で、制御部３０は、入力検出部３２が受け付けた座標データを入力した装置、すなわち座標データの取得元の装置を特定する（ステップＳ１９）。
【０１１１】
制御部３０は、オブジェクト処理部３４により、座標データに基づき表示オブジェクトを生成する（ステップＳ２０）。制御部３０は、合成制御部３５により、オブジェクト処理部３４が生成した表示オブジェクトをフレームメモリー４１の画像に合成する処理を実行する（ステップＳ２１）。ここで、制御部３０は、フレームメモリー４１の合成後の画像データに基づき、第２表示データ６０２を生成して、記憶部６０に記憶する（ステップＳ２２）。例えば、ステップＳ１９で合成した画像のデータを、そのまま第２表示データ６０２とすることができる。ステップＳ２２において、制御部３０は、第２表示データ６０２を、ステップＳ１４で記憶した第１表示データ６０１に対応付けて記憶部６０に記憶する。
ここで、制御部３０は、ステップＳ１７で特定した装置を示す入力端末データ６０３を生成して、ステップＳ２０で生成した第２表示データ６０２に対応付けて記憶部６０に記憶する。
【０１１２】
制御部３０は、フレームメモリー４１において合成された合成後の画像を投射部２０により投射させる（ステップＳ２３）。
【０１１３】
制御部３０は、入力検出部３２により、表示中のコンテンツデータ６３、或いは、コンテンツデータ６３において表示する範囲の切り替えを指示する操作が行われたか否かを判定する（ステップＳ２４）。表示を切り替える指示が行われたと判定した場合（ステップＳ２４；Ｙｅｓ）、制御部３０はステップＳ１１に戻る。
【０１１４】
表示を切り替える指示が行われなかったと判定した場合（ステップＳ２４；Ｎｏ）、制御部３０は、表示を終了するか否かを判定する（ステップＳ２５）。表示を終了しない場合（ステップＳ２５；Ｎｏ）、制御部３０はステップＳ１６に戻る。
【０１１５】
また、制御部３０は、記憶部６０から表示データを呼び出すと判定した場合（ステップＳ１１；Ｙｅｓ）、第１表示データ６０１または第２表示データ６０２を表示する処理を実行する。まず、制御部３０は、第１表示データ６０１または第２表示データ６０２の表示形式を選択する処理を行う（ステップＳ２６）。
【０１１６】
後述するように、プロジェクター１００は、第１表示データ６０１及び第２表示データ６０２を複数の表示形式で表示できる。例えば、第１表示データ６０１または第２表示データ６０２を、表示領域の全体に表示する「全面表示」、複数の第１表示データ６０１または第２表示データ６０２を１つの表示領域に並べて表示する「配列表示」を選択できる。表示領域とは、フレームメモリー４１において描画可能な領域、或いは、光変調装置２２が画像を形成可能な最大領域である表示可能領域であってもよい。また、投射領域１０（図１）に対応するフレームメモリー４１の領域を、表示領域としてもよい。ここで、制御部３０が画像処理部４０を制御して、台形歪み補正等の幾何補正処理を実行する場合、画像を描画、形成できる領域が、表示可能領域よりも小さい領域になる。この場合、画像を描画、形成できる領域が表示可能領域とみなされる。また、制御部３０は、画像処理部４０を制御して、第１表示データ６０１及び第２表示データ６０２を表示する表示領域を、表示可能領域の一部に制限することも可能である。この場合、制御部３０は、設定された表示領域に収まるように、１または複数の第１表示データ６０１または第２表示データ６０２を、全面表示または配列表示の形式で表示する。
【０１１７】
ステップＳ２６で、制御部３０は、入力検出部３２が受け付ける操作により、或いは、予め設定された内容に従って、表示形式を指定する。表示形式が予め設定されている場合、この設定を示すデータが、例えば記憶部６０に設定データ６２として記憶される。
【０１１８】
制御部３０は、入力検出部３２により受け付ける操作により、読み出す表示データを選択する（ステップＳ２７）。ここで選択可能な表示データは、第１表示データ６０１、及び、第２表示データ６０２のいずれであってもよい。
制御部３０は、ステップＳ２７で選択した表示データを記憶部６０から読み出して、画像処理部４０を制御してフレームメモリー４１に展開し、表示する（ステップＳ２８）。表示開始後、制御部３０はステップＳ１６に移行する。
【０１１９】
図６の動作では、コンテンツデータ６３、或いは、第１表示データ６０１または第２表示データ６０２を表示する処理を行う。コンテンツデータ６３に基づき画像を表示する場合は、ステップＳ１４で第１表示データ６０１を生成して記憶する。このため、制御部３０の制御により表示した画像の全てについて、対応する表示データが生成され記憶される。
【０１２０】
制御部３０は、ステップＳ２１で表示オブジェクトを合成する場合、ステップＳ１７で、合成する前の画像について第１表示データ６０１を生成して記憶する。また、ステップＳ２７で第２表示データ６０２を選択して表示した状態で、ステップＳ２１で表示オブジェクトを合成する場合、表示中の第２表示データ６０２を、第１表示データ６０１として新たに記憶する。そして、ステップＳ２１で表示オブジェクトが合成された後の画像のデータを、第２表示データ６０２として記憶する。これらの第１表示データ６０１と第２表示データ６０２とは対応付けて記憶部６０に記憶される。従って、記憶部６０は、第１表示データ６０１及び第２表示データ６０２に加え、この第２表示データ６０２に表示オブジェクトが合成された第２表示データ６０２が対応付けて記憶される。また、表示オブジェクトが合成される前の第２表示データ６０２を、第１表示データ６０１として記憶してもよい。この結果、記憶部６０は、１つの第１表示データ６０１に対し、複数の第２表示データ６０２を対応付けて記憶し、さらに、それぞれの第２表示データ６０２に対応付けて、表示オブジェクトを合成した第２表示データ６０２を記憶する。別の表現では、記憶部６０は、樹形図状に、第１表示データ６０１と複数の第２表示データ６０２とを記憶する。
【０１２１】
また、記憶部６０は、第２表示データ６０２に対応づけて入力端末データ６０３を記憶する。入力端末データ６０３は、第２表示データ６０２に含まれる表示オブジェクトを生成する処理で使用された指示位置を出力した装置（デバイス）を特定するデータである。従って、タブレット２の操作により生成した表示オブジェクトを含む第２表示データ６０２を、入力端末データ６０３に基づいて記憶部６０から検索し、抽出することができる。
【０１２２】
図７は、第２表示データ６０２の一例として、第２表示データ６０２Ａを示す図である。第２表示データ６０２Ａは、第１表示データ６０１Ａ（図５）の画像に、表示オブジェクト６２１Ａを合成した画像のデータである。
ステップＳ１３でコンテンツデータ６３における表示範囲が指定され、表示用データ６１１（図５）が生成された場合、スクリーンＳＣには表示用データ６１１に基づく画像が表示される。ステップＳ２７で第１表示データ６０１Ａが選択された場合、スクリーンＳＣには第１表示データ６０１Ａに基づく画像が表示されるが、この画像は表示用データ６１１に基づく画像と同じ画像である。
【０１２３】
そして、オブジェクト処理部３４が、入力検出部３２により受け付けた操作の指示位置に従って表示オブジェクト６２１Ａを生成し、この表示オブジェクト６２１Ａが合成されると、スクリーンＳＣに合成後の画像が投射される。制御部３０は、合成後の画像のデータを、第２表示データ６０２Ａとして記憶部６０に記憶する。また、制御部３０は、表示オブジェクト６２１Ａを生成する処理のもとになった指示位置を入力した装置を特定する入力端末データ６０３を、第２表示データ６０２Ａに対応付けて記憶する。
【０１２４】
図８は、第２表示データ６０２の一例として、第２表示データ６０２Ｂを示す図である。第２表示データ６０２Ｂは、第１表示データ６０１Ａの画像に、表示オブジェクト６２１Ｂを合成した画像のデータである。
また、図９は、第２表示データ６０２の一例として、第２表示データ６０２Ｃを示す図である。第２表示データ６０２Ｃは、第１表示データ６０１Ａの画像に、表示オブジェクト６２１Ｃを合成した画像のデータである。
【０１２５】
第２表示データ６０２Ａ、第２表示データ６０２Ｂ、及び、第２表示データ６０２Ｃは、それぞれ、第１表示データ６０１Ａに表示オブジェクト６２１Ａ、６２１Ｂ、６２１Ｃを合成する処理により生成される。記憶部６０は、第１表示データ６０１Ａに対応付けて、第２表示データ６０２Ａ、第２表示データ６０２Ｂ、及び、第２表示データ６０２Ｃを記憶する。また、記憶部６０は、表示オブジェクト６２１Ｂ、６２１Ｃを生成する処理のもとになった指示位置を入力した装置を特定する入力端末データ６０３を、第２表示データ６０２Ｂ、６０２Ｃのそれぞれに対応付けて記憶する。
【０１２６】
このため、第２表示データ６０２Ａが生成され、第２表示データ６０２Ａに基づく画像が表示された状態で、表示オブジェクト６２１Ａを合成する前の画像を表示する場合、プロジェクター１００は、第１表示データ６０１Ａを表示すればよい。第２表示データ６０２Ｂ、６０２Ｃについても同様である。つまり、表示オブジェクト６２１Ａ、６２１Ｂ、６２１Ｃを描画した後で、描画する前の状態を表示する処理を、速やかに行うことができる。この処理で、例えば、表示されている表示オブジェクト６２１Ａ、６２１Ｂ、６２１Ｃの位置や範囲を指定して、表示を消去する指示を行う必要はない。このため、表示オブジェクト６２１Ａ、６２１Ｂ、６２１Ｃを消去、或いは非表示にする処理を、簡単な操作で行うことができる。また、表示オブジェクト６２１Ａ、６２１Ｂ、６２１Ｃを消去する際に、表示中の画像に含まれる他の要素を消去してしまうことがないという利点がある。
具体的には、制御部３０は、オブジェクト処理部３４により表示オブジェクト６２１Ａ、６２１Ｂ、６２１Ｃのいずれかを生成し、合成した後で、オブジェクトの描画を元に戻す（アンドゥ）指示を入力検出部３２が検出した場合に、上記処理を行う。この場合、制御部３０は、入力端末データ６０３により特定される機器の入力に基づき、オブジェクトの描画を元に戻す指示を検出した場合に限り、上記処理を行って表示オブジェクトを非表示にしてもよい。つまり、表示オブジェクトの消去あるいは非表示を指示する操作を行った機器を判定する判定部として機能してもよい。この場合、制御部３０は、入力端末データ６０３に基づき判定を行う。
【０１２７】
さらに、第２表示データ６０２Ａ、第２表示データ６０２Ｂ、及び、第２表示データ６０２Ｃに、別の表示オブジェクトを合成することも可能である。
【０１２８】
図１０は、第２表示データ６０２の一例として、第２表示データ６０２Ｄを示す図である。第２表示データ６０２Ｄは、第２表示データ６０２Ａ（図７）に基づき表示される画像に、表示オブジェクト６２１Ｄを合成した画像のデータである。ステップＳ２７で第２表示データ６０２Ａが選択され、第２表示データ６０２Ａがフレームメモリー４１に展開された状態で、フレームメモリー４１において表示オブジェクト６２１Ｄが合成されると、ステップＳ２２で第２表示データ６０２Ｄが生成される。この例では、表示オブジェクト６２１Ｄを合成する前の画像のデータである第２表示データ６０２Ａと、合成後の画像のデータである第２表示データ６０２Ｄとが対応付けて記憶部６０に記憶される。また、第２表示データ６０２Ａと同じデータが、第１表示データ６０１として記憶部６０に記憶される構成であってもよい。
【０１２９】
図１１は、第２表示データ６０２の一例として、第２表示データ６０２Ｅを示す図である。第２表示データ６０２Ｅは、第２表示データ６０２Ｃ（図８）に基づき表示される画像に、表示オブジェクト６２１Ｅを合成した画像のデータである。この例では、表示オブジェクト６２１Ｅを合成する前の画像のデータである第２表示データ６０２Ｃと、合成後の画像のデータである第２表示データ６０２Ｅとが対応付けて記憶部６０に記憶される。また、第２表示データ６０２Ｂと同じデータが、第１表示データ６０１として記憶部６０に記憶される構成であってもよい。
【０１３０】
図１２は、プロジェクター１００の表示例を示す図である。
この例では、スクリーンＳＣに、表示オブジェクト２５Ａ、２５Ｂ、２５Ｃが並べて表示される。表示オブジェクト２５Ａは、第２表示データ６０２Ａに基づき表示される画像であり、表示オブジェクト２５Ｂは第２表示データ６０２Ｂに基づき表示される画像である。また、表示オブジェクト２５Ｃは、第２表示データ６０２Ｃに基づき表示される画像である。図１２に例示したように、プロジェクター１００では、ステップＳ２６で、記憶部６０が記憶する第２表示データ６０２に基づく画像を並べて配置する表示形式を選択可能である。ここで、第２表示データ６０２Ａ、６０２Ｂ、６０２Ｃに基づく画像は表示オブジェクト２５Ａ、２５Ｂ、２５Ｃであるため、例えばタブレット２、３或いは指示体７０の操作により表示位置の移動、拡大／縮小等、表示態様を変化させることができる。つまり、１面分の表示画像のデータである第２表示データ６０２Ａ、６０２Ｂ、６０２Ｃを、投射領域１０あるいは表示領域に配置されるオブジェクトとして処理できる。この表示形式では、第２表示データ６０２に限らず、記憶部６０が記憶する第１表示データ６０１に対応する画像を配置してもよい。また、第１表示データ６０１に基づく画像と第２表示データ６０２に基づく画像とを同時に配置してもよい。
【０１３１】
図１３は、プロジェクター１００の表示例を示す図である。
この例では、スクリーンＳＣの投射領域１０全体に、表示オブジェクト２５Ｄが表示される。表示オブジェクト２５Ｄに重ねて、表示オブジェクト２５Ａ、２５Ｂ、２５Ｃが並べて表示される。表示オブジェクト２５Ｄは、第１表示データ６０１Ａに基づき表示される画像である。図１３の例のように、第１表示データ６０１または第２表示データ６０２に基づく画像を表示オブジェクトとして表示し、この表示オブジェクトに重ねて、他の第１表示データ６０１或いは第２表示データ６０２に基づく画像を表示してもよい。
【０１３２】
図１４は、プロジェクター１００の表示例を示す図である。
この例は、図１３に示す表示状態において、表示オブジェクト２５Ｂに、新たな表示オブジェクト６２１Ｆが合成された状態の表示例である。図１２及び図１３に示した表示例において、タブレット２、３あるいは指示体７０によって位置指示操作が行われた場合、制御部３０は、表示オブジェクトを生成して合成する処理を行う事ができる。この場合、表示オブジェクトを合成する前の表示画像、すなわち、制御部３０により、表示オブジェクト２５Ｄに表示オブジェクト２５Ａ、２５Ｂ、２５Ｃを重ねた画像の画像データが、第１表示データ６０１として記憶部６０に記憶される。そして、制御部３０は、表示オブジェクト２５Ｆを合成した後の画像の画像データが、第２表示データ６０２として記憶部６０に記憶する。
【０１３３】
第１表示データ６０１、及び／又は第２表示データ６０２に基づく複数の画像を、表示オブジェクトとして配置する表示形式として、スクリーンＳＣの投射領域１０の一部のみを使用することもできる。
図１５は、プロジェクター１００の表示例を示す図である。図１５の例では、スクリーンＳＣの投射領域１０の下部に配置される配置領域２７Ａに、表示オブジェクト２５Ａ、２５Ｂ、２５Ｃが配置される。配置領域２７Ａのサイズ及び位置は、予め設定され、設定データ６２（図４）に含めることができる。
図１６は、領域の右側に配置される配置領域２７Ｂに、表示オブジェクト２５Ａ、２５Ｂ、２５Ｃが配置される。配置領域のサイズ及び位置は、配置領域２７Ａ、２７Ｂの例に限定されず、任意のサイズ及び位置とすることができる。
【０１３４】
以上説明したように、本発明を適用した実施形態に係るプロジェクター１００は、スクリーンＳＣに画像を表示する投射部２０と、コンテンツデータ６３に基づき、投射部２０によりスクリーンＳＣに画像を表示する制御部３０とを備える。また、プロジェクター１００は表示オブジェクトを生成するオブジェクト処理部３４と、記憶部６０と、を備える。制御部３０は、オブジェクト処理部３４により生成した表示オブジェクトを、コンテンツデータ６３に基づきスクリーンＳＣに表示する画像に合成して表示する。制御部３０は、投射部２０によりコンテンツデータ６３に基づき表示した画像のデータである第１表示データ６０１を記憶部６０に記憶する。また、第１表示データ６０１の画像に表示オブジェクトを合成した画像のデータである第２表示データ６０２を、第１表示データ６０１と対応付けて記憶部６０に記憶する。これにより、プロジェクター１００が、コンテンツデータ６３に基づき表示した画像を第１表示データ６０１として記憶し、表示した画像に表示オブジェクトを合成して表示した画像を第２表示データ６０２として記憶する。従って、プロジェクター１００が、コンテンツデータ６３を表示した状態を容易に再現できる。また、プロジェクター１００は、表示オブジェクトを合成して表示した状態、及び、表示オブジェクトを合成していない状態を、容易に再現できる。
【０１３５】
例えば、コンテンツデータ６３の一部を表示用データ６１１として切り出し、表示用データ６１１に基づく画像を表示した状態で、入力検出部３２が受け付ける操作に応じて表示オブジェクト６２１Ａ（図７）を生成して表示できる。この場合、表示オブジェクト６２１Ａを合成する前の状態の画像のデータが、第１表示データ６０１Ａ（図５）として記憶部６０に記憶されるので、この第１表示データ６０１Ａに基づく画像を表示することにより、表示オブジェクト６２１Ａを合成する前の状態を容易に再現できる。また、表示オブジェクト６２１Ａを合成した画像のデータを第２表示データ６０２Ａとして記憶するので、この画像を容易に再現できる。
【０１３６】
また、制御部３０は、投射部２０によりスクリーンＳＣに表示した一面分の画像に対応する第１表示データ６０１、及び、第２表示データ６０２を生成する。例えば、フレームメモリー４１において、投射領域１０に対応する領域に描画された画像のデータを、第１表示データ６０１、及び、第２表示データ６０２としてもよい。これにより、プロジェクター１００がスクリーンＳＣに表示した一面分の画像のデータを利用して、コンテンツデータ６３の表示状態を容易に再現できる。
【０１３７】
また、制御部３０は、コンテンツデータ６３に基づき画像を投射部２０により表示する際に、第１表示データ６０１を生成して記憶部６０に記憶する。すなわち、プロジェクター１００が、表示オブジェクトの合成等を行う前の状態の画像のデータを、第１表示データ６０１として記憶する。このため、表示オブジェクトの合成等を行う前のコンテンツデータ６３の表示状態を容易に再現できる。また、プロジェクター１００が表示するコンテンツデータ６３に対し、第１表示データ６０１を漏れなく記憶できる。つまり、コンテンツデータ６３において表示された部分に対応する第１表示データ６０１が記憶されるので、この第１表示データ６０１を読み出して表示することにより、容易に表示を再現できる。この動作において、コンテンツデータ６３に関して表示用データ６１１として切り出された領域のサイズや位置に関する情報を必要としない。
【０１３８】
また、制御部３０は、オブジェクト処理部３４により生成した表示オブジェクトをコンテンツデータ６３に合成して表示する際に、第１表示データ６０１、及び、第２表示データ６０２を生成して記憶部６０に記憶する。つまり、プロジェクター１００が、コンテンツデータ６３に基づく画像に表示オブジェクトを合成して表示する際に、表示オブジェクトを合成していない状態の第１表示データ６０１、及び、表示オブジェクトを合成した状態の第２表示データ６０２を生成する。このため、プロジェクター１００が表示するコンテンツデータ６３に対し、第１表示データ６０１及び第２表示データ６０２を漏れなく記憶でき、コンテンツデータ６３の表示状態を容易に再現できる。
【０１３９】
また、制御部３０は、オブジェクト処理部３４により生成した表示オブジェクトを非表示にする指示が入力された場合、記憶部６０に記憶した第１表示データ６０１に基づく画像を投射部２０により表示する。これにより、プロジェクター１００が、第１表示データ６０１を利用して、表示オブジェクトを非表示にする処理を効率よく実行できる。
【０１４０】
また、記憶部６０は、一の第１表示データ６０１に対応付けて複数の第２表示データ６０２を記憶可能な構成としてもよい。この場合、例えば、プロジェクター１００が、異なる複数の表示オブジェクトに対応する複数の第２表示データ６０２を記憶でき、一のコンテンツデータ６３に対して、異なる複数の表示オブジェクトを切り換えて合成した表示状態を再現できる。
【０１４１】
また、制御部３０は、記憶部６０に記憶した第１表示データ６０１又は第２表示データ６０２に基づく画像を投射部２０により表示した状態で、第１表示データ６０１又は第２表示データ６０２に基づく画像を表示オブジェクトとして合成して表示させてもよい。この場合、プロジェクター１００が、第１画像データ及び第２画像データを表示オブジェクトとして他の画像に合成して表示できる。これにより、コンテンツデータ６３の表示状態を様々な態様で再現できる。
【０１４２】
また、制御部３０は、コンテンツデータ６３の一部を切り出して、切り出したコンテンツデータ６３に基づき画像を投射部２０により表示してもよい。この場合、プロジェクター１００がコンテンツデータ６３の一部を表示した表示状態を、容易に再現できる。このため、コンテンツデータ６３の内容が、スクリーンＳＣに表示可能な範囲よりも長大である場合に、表示した範囲を特定する作業を経ることなく、コンテンツデータ６３の表示状態を再現できる。
【０１４３】
また、プロジェクター１００は、操作を検出する入力検出部３２を備え、オブジェクト処理部３４は、入力検出部３２により検出された操作に応じて表示オブジェクトを生成してもよい。この場合、操作に応じて表示オブジェクトを生成して、コンテンツデータ６３に基づく画像に合成して表示できる。
【０１４４】
また、プロジェクター１００は、位置指示操作を検出する位置検出部５０を備える。入力検出部３２は、位置検出部５０により検出した位置指示操作の指示位置を取得し、オブジェクト処理部３４は、入力検出部３２により取得した指示位置に基づき表示オブジェクトを生成する。これにより、位置指示操作によって表示オブジェクトを生成し、コンテンツデータ６３に基づく画像に合成して表示できる。
【０１４５】
また、プロジェクター１００は、スクリーンＳＣに画像光を投射することにより画像を表示する投射部２０を備える。位置検出部５０は、投射部２０が画像光を投射する投射領域１０における位置指示操作を検出する。これにより、スクリーンＳＣに画像光を投射するプロジェクターが、コンテンツデータ６３に基づく画像を表示し、投射領域１０における位置指示操作を検出して表示オブジェクトを生成し、表示できる。また、プロジェクターが表示したコンテンツデータ６３の表示状態を容易に再現できる。
【０１４６】
なお、上述した実施形態及び変形例は本発明を適用した具体的態様の例に過ぎず、本発明を限定するものではなく、異なる態様として本発明を適用することも可能である。例えば、投射領域１０に対する操作に用いる指示体は、ペン型の指示体７０に限らず、ユーザーの手指、レーザーポインター、指示棒等を用いてもよく、その形状やサイズは限定されない。
【０１４７】
また、上記実施形態では、位置検出部５０は、撮影部５１によりスクリーンＳＣを撮影して指示体７０の位置を特定するものとしたが、本発明はこれに限定されない。例えば、撮影部５１は、プロジェクター１００の本体に設けられ、投射光学系２３の投射方向を撮影するものに限定されない。撮影部５１をプロジェクター１００本体とは別体として配置してもよいし、撮影部５１がスクリーンＳＣの側方や正面から撮影を行うものとしてもよい。さらに、複数の撮影部５１を配置し、これら複数の撮影部５１の撮影画像データに基づいて、対象検出部５４が操作位置を検出してもよい。
また、上記実施形態では、プロジェクター１００から指示体７０に対し、送信部５２が発する赤外線信号を用いて指示体７０に同期用の信号を送信する構成を説明したが、同期用の信号は赤外線信号に限定されない。例えば、電波通信や超音波無線通信により同期用の信号を送信する構成としてもよい。
【０１４８】
また、上述した実施形態では、指示体７０の先端部７１がスクリーンＳＣに接触しているか否かを、送受信部７４の点灯パターンに基づいて判定する例を説明したが、本発明はこれに限定されない。例えば、指示体７０の先端部７１がスクリーンＳＣに押しつけられているか否かを、撮影画像データに写る指示体７０及び先端部７１の画像をもとに、判定してもよい。この構成は、例えば、異なる方向から撮影された複数の撮影画像データに基づいて先端部７１の位置を検出したり、撮影画像データから先端部７１の像と指示体７０の影の像とを検出したりすることで、実現できる。
また、上述した実施形態では、プロジェクター１００が内蔵する位置検出部５０の機能により、指示体７０の操作を検出する例を説明したが、本発明はこれに限定されない。例えば、位置検出部５０の機能を、プロジェクター１００とは独立した装置として実現することもできる。また、プロジェクター１００以外の表示装置に、位置検出部５０の機能を持たせて、位置検出装置として動作させる態様も実現可能である。
【０１４９】
また、本発明の表示装置は、上述したようにスクリーンＳＣに画像を投射するプロジェクター１００に限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic LED）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示システムに含まれる。この場合、液晶表示パネル、プラズマディスプレイパネル、有機ＥＬ表示パネルが表示部及び表示面に相当する。また、この表示面は、投射領域１０、指示体７０で操作される操作面、及び操作領域に相当する。
【０１５０】
また、上記実施形態では、光源が発した光を変調する光変調装置２２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。また、３枚のデジタルミラーデバイス（ＤＭＤ）を用いた方式、１枚のデジタルミラーデバイスとカラーホイールを組み合わせたＤＭＤ方式等により構成してもよい。光変調装置２２として１枚のみの液晶パネル又はＤＭＤを用いる場合には、クロスダイクロイックプリズム等の合成光学系に相当する部材は不要である。また、液晶パネル及びＤＭＤ以外にも、光源が発した光を変調可能な光変調装置であれば問題なく採用できる。
【０１５１】
また、図２、３、４に示した機能ブロックは、タブレット２、３及びプロジェクター１００の機能的構成を示すものであって、具体的な実装形態を制限しない。つまり、図中の機能ブロックに対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
さらに、プロジェクター１００に接続可能な外部機器は、タブレット２、３に限定されない。例えば、デスクトップ型のコンピューター、スマートフォンを含む携帯型電話機、映像／音楽プレーヤー、テレビ放送のチューナー装置等、画像や音声を出力可能な装置であればよい。また、外部機器とプロジェクター１００とを接続するインターフェイスの具体的構成は制限されず、アナログ画像信号、音声信号あるいはデジタルデータを伝送可能なインターフェイスであれば制限なく適用可能である。また、例えば、タブレット２、３及びプロジェクター１００と通信回線を介して接続するサーバー装置を設けてもよい。この場合、例えば、プロジェクター１００は、サーバー装置から制御プログラム６１、設定データ６２、コンテンツデータ６３等を取得する構成であってもよい。或いは、プロジェクター１００は、第１表示データ６０１、第２表示データ６０２、入力端末データ６０３を、サーバー装置に送信し、サーバー装置がこれらのデータを記憶する構成であってもよい。この場合、プロジェクター１００とは異なるプロジェクター、或いは他の種類の表示装置が、サーバー装置から第１表示データ６０１、第２表示データ６０２、入力端末データ６０３をダウンロードして表示する構成としてもよい。その他、表示システム１を構成する機器の他の各部の具体的な細部構成についても、本発明の趣旨を逸脱しない範囲で任意に変更可能である。
【０１５２】
また、本発明は、上述したプロジェクター１００の制御方法を実現するためにコンピューターが実行するプログラム、このプログラムをコンピューターで読み取り可能に記録した記録媒体、或いは、このプログラムを伝送する伝送媒体の態様で構成してもよい。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、表示システム１が備える各装置や、各装置に接続された外部装置が備える内部記憶装置であるＲＡＭ（Random Access Memory）、ＲＯＭ（Read Only Memory）、ＨＤＤ等の不揮発性記憶装置であってもよい。
【符号の説明】
【０１５３】
１…表示システム、２、３…タブレット、１０…投射領域、１１…インターフェイス部、１２…画像インターフェイス部、１７…入力受付部、１８…リモコン受光部、１９…操作パネル、２０…投射部、２１…光源部、２２…光変調装置、２３…投射光学系、３０…制御部、３１…投射制御部、３２…入力検出部（検出部）、３３…通信制御部、３４…オブジェクト処理部、３５…合成制御部、４０…画像処理部、４１…フレームメモリー、４５…光源駆動部、４６…光変調装置駆動部、５０…位置検出部、５１…撮影部、５２…送信部、５３…撮影制御部、５４…対象検出部、５５…座標算出部、６０…記憶部、６１…制御プログラム、６２…設定データ、６３、６３Ａ…コンテンツデータ、７０…指示体、７１…先端部、７２…軸部、７３…制御部、７４…送受信部、７５…操作スイッチ、７６…電源部、１００…プロジェクター、２０１…タッチパネル、３０１…タッチパネル、６０１、６０１Ａ…第１表示データ、６０２、６０２Ａ、６０２Ｂ、６０２Ｃ、６０２Ｄ、６０２Ｅ…第２表示データ、６０３…入力端末データ、６１１…表示用データ、６２１Ａ、６２１Ｂ、６２１Ｃ、６２１Ｄ、６２１Ｅ、６２１Ｆ…表示オブジェクト、ＳＣ…スクリーン（表示面）。
【図１】
2018036540.tif 000003
【図２】
2018036540.tif 000004
【図３】
2018036540.tif 000005
【図４】
2018036540.tif 000006
【図５】
2018036540.tif 000007
【図６】
2018036540.tif 000008
【図７】
2018036540.tif 000009
【図８】
2018036540.tif 000010
【図９】
2018036540.tif 000011
【図１０】
2018036540.tif 000012
【図１１】
2018036540.tif 000013
【図１２】
2018036540.tif 000014
【図１３】
2018036540.tif 000015
【図１４】
2018036540.tif 000016
【図１５】
2018036540.tif 000017
【図１６】
2018036540.tif 000018